(57)【要約】【課題】２つの主部材を嵌め合わせる相欠き接合に、１つもしくは２つの従部材を接合することができる組立物用接合構造を提供することを目的とする。【解決手段】図（Ａ）のように、第２主部材（２）の２つの切込み溝（９）と、２つの従部材（３）の切込み溝（１１）を向かい合わせ、次に図（Ｂ）のように、第２主部材（２）の２つの切込み溝（９）に、２つの従部材（３）の切込み溝（１１）を互いの溝端まで嵌め合わせて互いに交差状に結合すると共に、第２主部材（２）の切込み溝（８）と第１主部材（１）の切込み溝（５）を向かい合わせ、その後に図（Ｃ）のように、第２主部材（２）の切込み溝（８）に第１主部材（１）の切込み溝（５）を互いの溝端まで嵌め合わせて互に交差状に結合する。その際に、第１主部材（１）の２つの嵌合突起（６）と、従部材（３）の、第２主部材（２）の切込み溝（９）と嵌め合わされていない方の切込み溝（１１）が嵌め合う。【選択図】図２
2006017275.tif 000002
【特許請求の範囲】
【請求項１】
第１主部材（１）と第２主部材（２）を相欠き接合した際、第１主部材（１）の第２主部材（２）に嵌め合う切込み溝（５）の左右に有する嵌合突起（６）と、第２主部材（２）の、前記の嵌合突起（６）に挟まれる位置に有する、２つの切込み溝（９）により形成された括れ（１０）で形成される十字型の断面形状部分に、１つもしくは２つの従部材（３）を嵌め合わせる組立物用接合構造において、第２主部材（２）と従部材（３）とは、１つの従部材（３）を嵌め合わせる場合、第２主部材（２）の括れ（１０）を形成する２つの切込み溝（９）の片方の切込み溝（９）に、従部材（３）に有する交差する２つの切込み溝（１１）のうち片方の切込み溝（１１）が、互いの溝端まで嵌め合わせて互いに交差状に結合され、２つの従部材（３）を嵌め合わせる場合、第２主部材（２）の括れ（１０）を形成する２つの切込み溝（９）の両方の切込み溝に、２つの従部材（３）のそれぞれが有する交差する２つの切込み溝（１１）のうち片方の切込み溝（１１）が、互いの溝端まで嵌め合わせて互いに交差状に結合され、第２主部材（２）と第１主部材（１）とは、互いの切込み溝（８、５）を互いの溝端まで嵌め合わせて互いに交差状に結合され、従部材（３）と第１主部材（１）とは、１つの従部材（３）を嵌め合わせる場合、従部材（３）に有する交差する２つの切込み溝（１１）のうち、第２主部材（２）に嵌め合っていない方の切込み溝（１１）に、第１主部材（１）の第２主部材（２）に嵌め合う切込み溝（５）の左右に有する嵌合突起（６）のうち片方の嵌合突起（６）が、互いに嵌め合い、２つの従部材（３）を嵌め合わせる場合、それぞれの従部材（３）に有する交差する２つの切込み溝（１１）のうち、第２主部材（２）に嵌め合っていない方のそれぞれの切込み溝（１１）に、第１主部材（１）の第２主部材（２）に嵌め合う切込み溝（５）の左右に有する嵌合突起（６）が、互いに嵌め合うことを特長とする組立物用接合構造。
【請求項２】
第１主部材（１）と第２主部材（２）を相欠き接合した際、第１主部材（１）の第２主部材（２）に嵌め合う切込み溝（５）の左右に有する嵌合突起（６）と、第２主部材（２）の、前記の嵌合突起（６）に挟まれる位置に有する、２つの切込み溝（９）により形成された括れ（１０）で形成される十字型の断面形状部分に、１つの従部材（４）を嵌め合わせる組立物用接合構造において、第２主部材（２）と従部材（４）とは、第２主部材（２）の括れ（１０）を形成する２つの切込み溝（９）の片方の切込み溝（９）に、従部材（４）に有する交差する２つの切込み溝（１２、１３）のうち片方の切込み溝（１２）が、互いの溝端まで嵌め合わせて互いに交差状に結合され、第２主部材（２）と第１主部材（１）とは、互いの切込み溝（８、５）を互いの溝端まで嵌め合わせて互いに交差状に結合され、従部材（４）と第１主部材（１）とは、従部材（４）に有する交差する２つの切込み溝（１２、１３）のうち、第２主部材（２）に嵌め合っていない方の切込み溝（１３）に、第１主部材（１）の第２主部材（２）に嵌め合う切込み溝（５）の左右に有する嵌合突起（６）が、互いに嵌め合うことを特長とする組立物用接合構造。
【発明の詳細な説明】
【技術分野】
【０００１】
本発明は、組立物用接合構造に関する。より詳しくは、構成部材の互いの嵌め合い部を嵌め合わせて組み立てる、ログハウス型構造物・家具・組立おもちゃ等の各種組立物に使用する組立物用接合構造に関する。
【背景技術】
【０００２】
本発明の背景技術としては、２つの部材の互いの切込み溝を互いに嵌め合わせる相欠き接合が従来から知られている。この相欠き接合は、極めて単純な接合構造であるため、従来からいろいろな組立物に使用されている。
【０００３】
例えば、特開２００４−６８５７８号(以下、特許文献１という）に記載されているログハウス型構造物や、実公平６−６４４５１号（以下、特許文献２という）に記載されている犬小屋や、特開２００２−１７４６３号（以下、特許文献３という）に記載されている固定具を用いない組立家具、組立椅子及び組立テーブルや、特開平９−１８７５８０号（以下、特許文献４という）に記載されているあらゆる方向に組み立て可能な立体積木や、特許第１７７８９８５号（以下、特許文献５という）に記載されている組立材や、「手づくり木工辞典」特別編集、指導・監修／室井忠夫、「作って遊ぼうクラフトパズル」（以下、非特許文献１という）に記載されている３枚の板を交差させるパズル等に使用されている。
【０００４】
【特許文献１】特開２００４−６８５７８号
【特許文献２】実公平６−６４４５１号
【特許文献３】特開２００２−１７４６３号
【特許文献４】特開平９−１８７５８０号
【特許文献５】特許第１７７８９８５号
【非特許文献１】「手づくり木工辞典」特別編集、指導・監修／室井忠夫、「作って遊ぼうクラフトパズル」婦人生活社、１９９７年１０月１日発行、Ｐ１０〜１３
【発明の開示】
【発明が解決しようとする課題】
【０００５】
しかしながら、構成部材の互いの嵌め合い部を嵌め合わせて組み立てる、ログハウス型構造物・犬小屋・家具・組立おもちゃ等の各種組立物に使用する組立物用接合構造として、相欠き接合をさらに進歩させた接合構造は存在しなかった。なぜなら、相欠き接合は２つの部材を接合するための接合構造であるとの既成概念が深く浸透していたためである。
【０００６】
本発明は、２つの主部材を嵌め合わせる相欠き接合に、１つもしくは２つの従部材を接合することができる組立物用接合構造を提供することを目的とする。
【課題を解決するための手段】
【０００７】
本発明の請求項１に係る組立物用接合構造は、第１主部材と第２主部材を相欠き接合した際、第１主部材の第２主部材に嵌め合う切込み溝の左右に有する嵌合突起と、第２主部材の、前記の嵌合突起に挟まれる位置に有する、２つの切込み溝により形成された括れで形成される十字型の断面形状部分に、１つもしくは２つの従部材を嵌め合わせる組立物用接合構造において、第２主部材と従部材とは、１つの従部材を嵌め合わせる場合、第２主部材の括れを形成する２つの切込み溝の片方の切込み溝に、従部材に有する交差する２つの切込み溝のうち片方の切込み溝が、互いの溝端まで嵌め合わせて互いに交差状に結合され、２つの従部材を嵌め合わせる場合、第２主部材の括れを形成する２つの切込み溝の両方の切込み溝に、２つの従部材のそれぞれが有する交差する２つの切込み溝のうち片方の切込み溝が、互いの溝端まで嵌め合わせて互いに交差状に結合され、第２主部材と第１主部材とは、互いの切込み溝を互いの溝端まで嵌め合わせて互いに交差状に結合され、従部材と第１主部材とは、１つの従部材を嵌め合わせる場合、従部材に有する交差する２つの切込み溝のうち、第２主部材に嵌め合っていない方の切込み溝に、第１主部材の第２主部材に嵌め合う切込み溝の左右に有する嵌合突起のうち片方の嵌合突起が、互いに嵌め合い、２つの従部材を嵌め合わせる場合、それぞれの従部材に有する交差する２つの切込み溝のうち、第２主部材に嵌め合っていない方のそれぞれの切込み溝に、第１主部材の第２主部材に嵌め合う切込み溝の左右に有する嵌合突起が、互いに嵌め合うことを特長とするものである。
【０００８】
請求項２に係る組立物用接合構造は、第１主部材と第２主部材を相欠き接合した際、第１主部材の第２主部材に嵌め合う切込み溝の左右に有する嵌合突起と、第２主部材の、前記の嵌合突起に挟まれる位置に有する、２つの切込み溝により形成された括れで形成される十字型の断面形状部分に、１つの従部材を嵌め合わせる組立物用接合構造において、第２主部材と従部材とは、第２主部材の括れを形成する２つの切込み溝の片方の切込み溝に、従部材に有する交差する２つの切込み溝のうち片方の切込み溝が、互いの溝端まで嵌め合わせて互いに交差状に結合され、第２主部材と第１主部材とは、互いの切込み溝を互いの溝端まで嵌め合わせて互いに交差状に結合され、従部材と第１主部材とは、従部材に有する交差する２つの切込み溝のうち、第２主部材に嵌め合っていない方の切込み溝に、第１主部材の第２主部材に嵌め合う切込み溝の左右に有する嵌合突起が、互いに嵌め合うことを特長とするものである。
【０００９】
本発明にいう主部材とは、部材を相欠き接合した際、従部材を接合するために必要な十字型の断面形状部分を形成する構成部材をいう。従部材とは、前記主部材の相欠き接合で形成する十字型の断面形状部分に接合可能な構成部材をいう。括れとは、一直線に形成された２つの切込み溝の間に形成される部分をいい、１つもしくは２つの切込み溝が四方を部材に囲まれている場合も含まれる。また、十字型という表現は、２つの主部材の交差角度を９０度に限定するものではない。
【発明の効果】
【００１０】
以上説明したように、本発明に係る組立物用接合構造を使用すると、第１主部材と第２主部材を相欠き接合した際、第１主部材の、第２主部材に嵌め合う切込み溝の左右に有する嵌合突起と、第２主部材の、前記の嵌合突起に挟まれる位置に有する、２つの切込み溝により形成された括れで形成される十字型の断面形状部分に、１つもしくは２つの従部材を嵌め合わせることができる。
【００１１】
しかも、この組立物用接合構造は、従来の相欠き接合を基礎として進歩させた接合構造であるため、当然のことながら、構成部材の互いの嵌め合い部を嵌め合わせて組み立てる、ログハウス型構造物・家具・組立おもちゃ等の各種組立物に使用することができる。しかも、従部材という新しい組立要素を追加することができるため、今までにない形の組立物を提供することができる。
【００１２】
また、接着剤・接合金物等で接合部を固定しない場合、組み立て及び分解を容易に行なうこともできる。この場合、部材単位の取替えができるため、資材の有効活用をすることができる。また、コスト面については、複雑な加工や工程が必要ないシンプルな接合構造により構成されるため、製造コストが比較的かからないメリットがある。
【発明を実施するための最良の形態】
【００１３】
以下、本発明の実施の形態を図１〜図４に基づいて詳細に説明する。
【００１４】
本発明に係る組立物用接合構造においては、例えば図１に示すような板状の部材を使用する。（Ａ）は第１主部材１を、（Ｂ）は第２主部材２を、（Ｃ）は従部材３を、（Ｄ）は従部材４を示している。
【００１５】
第１主部材１は、一定の厚さＡとし幅の寸法を厚さＡの５倍の寸法５Ａとした板状の部材の端部を直角に形成し、前記の端部中央から内側へ向けて、幅の寸法を厚さＡと同じ寸法Ａとし、奥行きを厚さＡの３倍の寸法３Ａとした切込み溝５を形成し、さらに端部の両角に、幅の寸法を厚さＡと同じ寸法Ａとし、奥行きを厚さＡと同じ寸法Ａとした切込み溝７を形成することで、切込み溝５の左右に幅Ａ、長さＡ、厚さＡの嵌合突起６を形成している。
【００１６】
第２主部材２は、一定の厚さＡとし幅の寸法を厚さＡの５倍の寸法５Ａとした板状の部材の端部を直角に形成し、前記の端部中央から内側へ向けて、幅の寸法を厚さＡと同じ寸法Ａとし、奥行きを厚さＡの３倍の寸法３Ａとした切込み溝８を形成し、端部から５Ａ離れた位置から６Ａ離れた位置の間の両方の側端部に、幅の寸法を厚さＡと同じ寸法Ａとし、奥行きを厚さＡと同じ寸法Ａとした切込み溝９を形成することで、括れ１０を形成している。
【００１７】
従部材３は、一定の厚さＡとし、幅の寸法を厚さＡの５倍の寸法５Ａとし、端部を４５度傾けて一直線に形成した板状の部材の、４５度傾けた端部中央から長さ方向と幅方向の２方向へ向けて、幅の寸法を厚さＡと同じ寸法Ａとし、奥行きを厚さＡの１．５倍の寸法１．５Ａとした交差する２つの切込み溝１１を形成している。
【００１８】
従部材４は、一定の厚さＡとし、幅の寸法を厚さＡの５倍の寸法５Ａとした板状の部材の端部を直角に形成し、前記の端部中央から内側へ向けて、幅の寸法を厚さＡと同じ寸法Ａとし、奥行きを厚さＡの４倍の寸法４Ａとした切込み溝１２を形成し、端部から２Ａ離れた位置から３Ａ離れた位置の間の、切込み溝１２の内側の両方の側端部に、幅の寸法を厚さＡと同じ寸法Ａとし、奥行きを厚さＡと同じ寸法Ａとした切込み溝１３を形成している。
【００１９】
図２〜図４は、第１主部材１の切込み溝５と、第２主部材２の切込み溝８とを互いに嵌め合わせ相欠き接合した際、第１主部材１の第２主部材２に嵌め合う切込み溝５の左右に有する嵌合突起６と、第２主部材２の、前記の嵌合突起６に挟まれる位置に有する、２つの切込み溝９により形成された括れ１０で形成される十字型の断面形状部分に、２つの従部材３を嵌め合わせた組立物用接合構造の例を示したものである。
【００２０】
図２は、２つの従部材３を、第２主部材２の板幅方向に一直線に接合した組立物用接合構造の例を、図３は、２つの従部材３を、第２主部材２の板幅方向に対して直角に一直線に接合した組立物用接合構造の例を、図４は、２つの従部材３を、Ｌ字型に接合した組立物用接合構造の例を示している。
【００２１】
これらの図２〜図４に示した組立物用接合構造の例はいずれも、図に示す通り、まず（Ａ）に示すように、第２主部材２の括れ１０を形成する２つの切込み溝９と、２つの従部材３に有する交差する２つの切込み溝１１のうち片方の切込み溝１１を図のように向かい合うように位置し、次に（Ｂ）に示すように、第２主部材２の括れ１０を形成する２つの切込み溝９に、２つの従部材３の、第２主部材２の切込み溝９に向かい合わせた切込み溝１１を、図のように互いの溝端まで嵌め合わせて互いに交差状に結合すると共に、前記組み合わせの第２主部材２の切込み溝８と第１主部材１の切込み溝５を図のように向かい合うように位置し、その後に（Ｃ）に示すように第２主部材２の切込み溝８に、第１主部材１の、第２主部材２の切込み溝８に向かい合わせた切込み溝５を図のように互いの溝端まで嵌め合わせて互に交差状に結合する。その際、第１主部材１に有する嵌合突起６と、従部材３に有する交差する２つの切込み溝１１のうち、第２主部材２に嵌め合わされていない方の切込み溝１１とが嵌め合うことで完成される。
【００２２】
また、当然のことながら、第１主部材１の切込み溝５と、第２主部材２の切込み溝８とを互いに嵌め合わせて互いに交差状に結合した際、第１主部材１の第２主部材２に嵌め合う切込み溝５の左右に有する２つの嵌合突起６と、第２主部材２の第１主部材の２つの嵌合突起６に挟まれる位置に有する、２つの切込み溝９により形成された括れ１０で形成される十字型の断面形状部分に、１つの従部材３を嵌め合わせることもできる。
【００２３】
また、この図２〜図４に示した組立物用接合構造の応用例として、従部材３の厚みを変えるか、第２主部材２の切込み溝９と第１主部材１の切込み溝７の奥行きを変えることで、従部材３を、１箇所の接合構造に複数接合することもできる。例えば、従部材３の厚さをＡ／２にするか、第２主部材２の切込み溝９と、第１主部材１の切込み溝７の奥行きをＡではなく２Ａにすれば、１箇所の接合部に４つの従部材３を接合することもできる。
【００２４】
図５は、第１主部材１の切込み溝５と、第２主部材２の切込み溝８とを互いに嵌め合わせ相欠き接合した際、第１主部材１の第２主部材２に嵌め合う切込み溝５の左右に有する嵌合突起６と、第２主部材２の、前記の嵌合突起６に挟まれる位置に有する、２つの切込み溝９により形成された括れ１０で形成される十字型の断面形状部分に、１つの従部材４を嵌め合わせた組立物用接合構造の例を示したものである。
【００２５】
図５に示した組立物用接合構造の例は、図に示す通り、まず（Ａ）に示すように、第２主部材２の括れ１０を形成する２つの切込み溝９の片方の切込み溝と、１つの従部材４の切込み溝１２を図のように向かい合うように位置し、次に（Ｂ）に示すように、第２主部材２の括れ１０を形成する２つの切込み溝９の片方の切込み溝に、１つの従部材４の、第２主部材２の切込み溝９に向かい合わせた切込み溝１２を、図のように互いの溝端まで嵌め合わせて互いに交差状に結合すると共に、前記組み合わせの第２主部材２の切込み溝８と第１主部材１の切込み溝５を図のように向かい合うように位置し、その後に（Ｃ）に示すように第２主部材２の切込み溝８に、第１主部材１の、第２主部材２の切込み溝８に向かい合わせた切込み溝５を図のように互いの溝端まで嵌め合わせて互に交差状に結合する。その際、第１主部材１に有する２つの嵌合突起６と、従部材４の切込み溝１３とが嵌め合うことで完成される。
【００２６】
また、これらの組立物用接合構造を構成する部材は、適当な材料、例えば木材・プラスチック・金属で製作することができる。また、構成する部材同士を組みやすくするために、又は手触りをよくするために、各角を丸くしたり面取りしてもよい。
【実施例１】
【００２７】
図６は、本発明の接合構造を用いて本棚状の骨組みを構築することができる板状の組立材の実施例を示した斜視図であり、（Ａ）は主部材ａを、（Ｂ）は主部材ｂを、（Ｃ）は主部材ｃを、（Ｄ）は従部材ｄを示している。
【００２８】
主部材ａは、一定の厚さＡとし、幅の寸法を厚さＡの５倍の寸法５Ａとし、長さを厚さＡの１２倍の寸法１２Ａとした長方形に形成した板状の部材の、片方の端部に図１の（Ａ）の切込み形状を形成し、もう片方の端部に図１の（Ｂ）の切込み形状を形成したものである。
【００２９】
主部材ｂと主部材ｃは、（Ａ）に示した主部材ａの長さ方向の両方の端部の中心で２分割した形状のうち、切込み溝５を有する側の形状に形成したものが主部材ｂであり、切込み溝８を有する側の形状に形成したものが主部材ｃである。
【００３０】
従部材ｄは、一定の厚さＡとし、幅の寸法を厚さＡの５倍の寸法５Ａとし、両方の端部に図１の（Ｃ）の端部形状を、全体の形状が台形になるように形成したものである。
【００３１】
図７は、図６の主部材ａと、主部材ｂと、一つもしくは２つの従部材ｄとを組み合わせた斜視図を示している。（Ａ）は、従部材ｄを１つ接続したものを２種類、（Ｂ）は従部材ｄを２つ、一直線に接続したものを２種類、（Ｃ）は従部材ｄを２つ、Ｌ字型に接続したものを２種類示している。このように、同じ形状の従部材を使用して６種類の接合形態が可能であることからも理解できる通り、種類の少ない部材を多数枚使用することで、いろいろな形態に組み替え可能な組立材を提供することもできる。
【００３２】
また、これらの接合構造では、従部材ｄの２つの切込み溝１１の片方の切込み溝が主部材ａの切込み溝９に、もう片方の切込み溝が主部材ｂの嵌合突起６に嵌め合わされるため、主部材ｂの切込み溝５と主部材ａの切込み溝８を外さない限り主部材ａは取り外すことができない構造になっている。
【００３３】
図８は、主部材ａ、主部材ｂ、主部材ｃ、従部材ｄの各多数枚を組み合わせてＬ字型の本棚状に組み立てたものを示している。
【００３４】
最下端部には、３つの主部材ａと２つの従部材ｄを用意し、嵌合突起６がある方の端部を上にした１つの主部材ａの２つの切込み溝９の、板幅方向の正面に向かって左側の切込み溝９の左側から、従部材ｄの台形の底辺側を奥にして従部材ｄの長さ方向に形成してある切込み溝１１を嵌め合わせ、前記組合せの主部材ａの２つの切込み溝９の、板幅方向の正面に向かって右側の切込み溝９の右側から、用意した別の従部材ｄを台形の底辺側を奥にしての長さ方向と直交している方の切込み溝１１を嵌め合わせ、２つの従部材ｄの残りの端部の切込み溝１１に、それぞれ前記組合せの主部材ａと平行になるように、嵌合突起６がある方の端部を上にした主部材ａの切込み溝９を嵌め合わせ、次に、前記組合せのそれぞれ主部材ａの切込み溝８に主部材ｃの切込み溝５を嵌め合わせることで、最下部のＬ字型の本棚状を形成したものを、下から２段目と４段目と６段目には、それぞれ３つの主部材ａと２つの従部材ｄを用意し、嵌合突起６がある方の端部を上にした１つの主部材ａの２つの切込み溝９の、板幅方向の正面に向かって右側の切込み９の右側から、従部材ｄの台形の底辺側を奥にして従部材ｄの長さ方向に形成してある切込み溝１１を嵌め合わせ、前記組合せの主部材ａの２つの切込み溝９の、向かって左側の切込み溝９の左側から、用意した別の従部材ｄを台形の底辺側を奥にしての長さ方向と直交している方の切込み溝１１を嵌め合わせ、２つの従部材ｄの残りの端部の切込み溝１１に、それぞれ前記組合せの主部材ａと平行になるように、嵌合突起６がある方の端部を上にした主部材ａの切込み溝９を嵌め合わせたものを、下から３段目と５段目には、それぞれ３つの主部材ａと２つの従部材ｄを用意し、嵌合突起６がある方の端部を上にした１つの主部材ａの２つの切込み溝９の、板幅方向の正面に向かって左側の切込み溝９の左側から、従部材ｄの台形の底辺側を奥にして従部材ｄの長さ方向に形成してある切込み溝１１を嵌め合わせ、前記組合せの主部材ａの２つの切込み溝９の板幅方向の正面に向かって右側の切込み溝９の右側から、用意した別の従部材ｄを台形の底辺側を奥にしての長さ方向と直交している方の切込み溝１１を嵌め合わせ、２つの従部材ｄの残りの端部の切込み溝１１に、それぞれ前記組合せの主部材ａと平行になるように、嵌合突起６がある方の端部を上にした主部材ａの切込み溝９を嵌め合わせたものを、下から七段目には、３つの主部材ｃを、下から八段目には、２つの従部材ｄを、図のような位置に用意し、互いに向かい合っている切込み溝５と、切込み溝８を嵌め合わせ、最後に８段目の２つの従部材ｄを、主部材ａと主部材ｃを嵌め合わせて形成される十字型の最上端部に嵌め合わせると図８に示した本棚状の骨組みが完成する。
【００３５】
前記の図８の組み立て工程からも理解できる通り、最下端部が、床面に接している場合、重力に反する方向の外力が加わらない限り従部材が外れないため、十分な強度を有した骨組を構築することができる。また、主部材の組み合わせ形状が十字型に形成されているため、水平方向に揺れにくい構造になっている。したがって、通常本棚などで必要な背板やクロスバーがなくても安定した骨組みを形成されている。
【００３６】
さらに、図８の最上端部の３つの十字型の嵌合突起部分に従部材ｄを２つ接続せずに、３つの十字型の嵌合突起に嵌め合う関係の３つの切込みを有した天板を嵌め合わせることで、机状または椅子状のものにすることもできる。
【実施例２】
【００３７】
図９は、本発明の接合構造を用いてログハウス型構造物を構築することができ、かつ、従部材ｄを接合することができる板状の組立材の実施例を示した斜視図であり、（Ａ）は主部材ｅを、（Ｂ）は主部材ｆを、（Ｃ）は主部材ｇを示している。
【００３８】
主部材ｅは、図６の主部材ａと同様の機能を有する切込み形状を１つの部材に２箇所形成したものである。
【００３９】
主部材ｆと主部材ｇは、（Ａ）に示した主部材ｅの長さ方向の両方の端部の中心で２分割した形状のうち、切込み溝５を有する側の形状に形成したものが主部材ｆであり、切込み溝８を有する側の形状に形成したものが主部材ｇである。
【００４０】
図１０は、図６の本棚状の骨組みを構築することができる板状の組立材、主部材ａ、主部材ｂ、主部材ｃ、従部材ｄと、図９のログハウス型構造物を構築することができる板状の組立材、主部材ｅ、主部材ｆ、主部材ｇ、の各多数枚を、図２〜図４に示したやり方やその他のやり方を組み合わせて、本棚状の骨組みのものとログハウス型構造物で構築することができる壁状のものとを一体化して組み立てたものを示している。
【図面の簡単な説明】
【００４１】
【図１】本発明に係る構成部材の例を示す斜視図である。
【図２】図１の構成部材による接合構造の例を示す斜視図である。
【図３】図１の構成部材による接合構造の例を示す斜視図である。
【図４】図１の構成部材による接合構造の例を示す斜視図である。
【図５】図１の構成部材による接合構造の例を示す斜視図である。
【図６】本発明に係る組立材の実施例を示す斜視図である。（実施例１）
【図７】図６の組立材の組み合わせ例を示す斜視図である。（実施例１）
【図８】図６の組立材を本棚状の組み合わせ例を示す斜視図である。（実施例１）
【図９】本発明に係る組立材の実施例を示す斜視図である。（実施例２）
【図１０】図６の組立材と図９の組立材で、本棚状のものと壁状のものを一体化した組み合わせ例を示す斜視図である。（実施例２）
【符号の説明】
【００４２】
１  主部材
２  主部材
３  従部材
４  従部材
５  切込み溝
６  嵌合突起
７  切込み溝
８  切込み溝
９  切込み溝
１０  括れ
１１  切込み溝
１２  切込み溝
１３  切込み溝
ａ  主部材
ｂ  主部材
ｃ  主部材
ｄ  従部材
ｅ  主部材
ｆ  主部材
ｇ  主部材
【図１】
2006017275.tif 000003
【図２】
2006017275.tif 000004
【図３】
2006017275.tif 000005
【図４】
2006017275.tif 000006
【図５】
2006017275.tif 000007
【図６】
2006017275.tif 000008
【図７】
2006017275.tif 000009
【図８】
2006017275.tif 000010
【図９】
2006017275.tif 000011
【図１０】
2006017275.tif 000012